(57)【要約】  表示制御装置１００は、カラー画像の画像データ（PicturePix(X, Y)に基づいて、ピクセルのそれぞれのカラーデータ（Red(C)，Green(C)，Blue(C)）を取得し、取得したカラーデータに基づいて、R・G・B毎の明度を取得する。さらに、表示制御装置１００は、取得した明度に基づいて、R・G・Bに対応するサブピクセルを駆動する制御情報を情報ディスプレイに出力する。
2011078088.tif 000002
【特許請求の範囲】
【請求項１】
カラー画像の表示に必要な所定カラーと対応付けられた前記所定カラー数のサブピクセルが一つのピクセルとして構成され、複数の前記ピクセルから構成される情報ディスプレイに前記カラー画像を表示させる表示制御装置であって、
前記カラー画像の画像データに基づいて、前記ピクセルのそれぞれのカラーデータを取得するカラーデータ取得部と、
前記カラーデータ取得部によって取得された前記カラーデータに基づいて、前記所定カラー毎の明度を取得する明度取得部と、
前記明度取得部によって取得された前記明度に基づいて、前記所定カラーに対応する前記サブピクセルを駆動する制御情報を前記情報ディスプレイに出力する表示制御部とを備える表示制御装置。
【請求項２】
前記ピクセルは、前記情報ディスプレイの情報表示面の縦方向及び横方向に複数並んで設けられ、
前記縦方向または前記横方向に平行な直線上に位置する前記サブピクセルは、隣接するサブピクセルとは異なるカラーと対応付けられている請求項１に記載の表示制御装置。
【請求項３】
前記サブピクセルは、正方形である請求項１に記載の表示制御装置。
【請求項４】
前記ピクセルは、Ｎを所定カラー数とした場合、前記情報ディスプレイの情報表示面の縦方向においてＮ個の前記サブピクセルと、前記情報表示面の横方向においてＮ個の前記サブピクセルとによって構成される請求項３に記載の表示制御装置。
【請求項５】
前記所定カラーは、光の三原色を構成する赤、緑及び青である請求項１乃至４の何れか一項に記載の表示制御装置。
【請求項６】
前記所定カラーは、光の四原色を構成する赤、緑、青及び黄である請求項１乃至４の何れか一項に記載の表示制御装置。
【請求項７】
前記情報ディスプレイは、
前記所定カラーに対応するカラーフィルタと、
少なくとも情報表示面側に配置される電極が透明な一対の電極と、
前記一対の電極間に封入され、電界が与えられることによって何れかの電極側に移動する表示媒体とを含む請求項１乃至６の何れか一項に記載の表示制御装置。
【請求項８】
前記情報ディスプレイは、
少なくとも情報表示面側に配置される電極が透明な一対の電極と、
前記一対の電極間に封入され、電界が与えられることによって何れかの電極側に移動する表示媒体とを含み、
前記表示媒体は、前記所定カラーの何れかに対応し、電気的に駆動可能な粒子によって構成される請求項１乃至６の何れか一項に記載の表示制御装置。
【請求項９】
カラー画像の表示に必要な所定カラーと対応付けられた前記所定カラー数のサブピクセルが一つのピクセルとして構成され、複数の前記ピクセルから構成される情報ディスプレイに前記カラー画像を表示させる情報ディスプレイシステムであって、
前記カラー画像の画像データに基づいて、前記ピクセルのそれぞれのカラーデータを取得するカラーデータ取得部と、
前記カラーデータ取得部によって取得された前記カラーデータに基づいて、前記所定カラー毎の明度を取得する明度取得部と、
前記明度取得部によって取得された前記明度に基づいて、前記所定カラーに対応する前記サブピクセルを駆動する制御情報を前記情報ディスプレイに出力する表示制御部とを備える情報ディスプレイシステム。
【請求項１０】
カラー画像の表示に必要な所定カラーと対応付けられた前記所定カラー数のサブピクセルが一つのピクセルとして構成され、複数の前記ピクセルから構成される情報ディスプレイに前記カラー画像を表示させる表示制御方法であって、
前記カラー画像の画像データに基づいて、前記ピクセルのそれぞれのカラーデータを取得するステップと、
取得された前記カラーデータに基づいて、前記所定カラー毎の明度を取得するステップと、
取得された前記明度に基づいて、前記所定カラーに対応する前記サブピクセルを駆動するステップとを備える表示制御方法。
【発明の詳細な説明】
【技術分野】
【０００１】
本発明は、電気的に駆動可能な粒子などを表示媒体として用いた表示媒体移動型の情報ディスプレイなど、所定カラーと対応付けられた複数のサブピクセルを一つのピクセルを用いて情報ディスプレイにカラー画像を表示させる表示制御装置、情報ディスプレイシステム及び表示制御方法に関する。
【背景技術】
【０００２】
近年、いわゆる電子ペーパーとして用いられる情報ディスプレイの一例として、表示媒体に電子粉流体（例えば、特許文献１）や電気的に駆動可能な粒子などを用いた表示媒体移動型の情報ディスプレイが知られている（例えば、特許文献２）。このような情報ディスプレイでは、少なくとも情報表示面側に配置される電極が透明な一対の対向電極間に電気的に駆動可能な粒子で構成された表示媒体が封入されている。表示媒体は、対向電極から電界が与えられると対向電極間を移動する。情報ディスプレイは、このような制御をピクセル毎に実行することによって所望の情報を表示する。【０００３】
このような表示媒体移動型の情報ディスプレイでカラー画像（例えば、４，０９６色）を表示させる場合、情報表示面側の電極の前面にカラーフィルタを設ける方法が一般的である。例えば、赤（R）、緑（G）、青（B）のカラーフィルタが設けられた領域が隣接して配置される。各カラーフィルタが設けられた領域はサブピクセルとされ、R・G・Bの三つのサブピクセルが一つのピクセルとして扱われる。【０００４】
また、表示媒体の色をR・G・B及び白色或いは黒色としたカラー表示媒体を用いる方法も知られている。例えば、R・G・Bのカラー粒子で構成した表示媒体と、白色粒子または黒色粒子で構成した表示媒体との各２色の組合せが設けられた領域が隣接して配置される。R・G・Bのそれぞれのカラー粒子が封入された領域はサブピクセルとされ、これらの表示媒体の組合せである三つのサブピクセルが一つのピクセルとして扱われる。
【先行技術文献】
【特許文献】
【０００５】
【特許文献１】国際公開ＷＯ２００５／１０４０７７Ａ１号
【特許文献２】特開２００７−２５３７２号公報（第４−５頁、第１，４図）
【発明の概要】
【０００６】
しかしながら、上述した表示媒体移動型の情報ディスプレイには、次のような問題があった。すなわち、このような情報ディスプレイでカラー画像を表示させる場合、複数のサブピクセルがまとまった領域が一つのピクセルとして扱われるため、解像度が低下する問題があった。
【０００７】
例えば、上述したR・G・Bによるカラー画像を表示する場合、三つのサブピクセルが一つのピクセルとして扱われるため、白黒画像を表示する場合と比較して、解像度は１／３に低下する。特に、文字情報などを表示することが多い電子ペーパーでは、解像度が低下すると、文字などの輪郭が不鮮明となるため、好ましくない。
【０００８】
このような問題を解決するためには、ピクセルのサイズを小さくすればよいが、情報ディスプレイの製造が技術的に難しくなるなど、別の問題を惹起する。
【０００９】
そこで、本発明は、表示媒体移動型の情報ディスプレイなど、所定カラーと対応付けられた複数のサブピクセルが一つのピクセルとして構成される場合において、カラー画像を表示させた際に文字などの表示情報の輪郭が不鮮明となることを軽減した表示制御装置、情報ディスプレイシステム及び表示制御方法の提供を目的とする。
【００１０】
上述した課題を解決するため、本発明は、次のような特徴を有している。まず、本発明の第１の特徴は、カラー画像（例えば、カラー画像Ｐ１）の表示に必要な所定カラー（例えば、R・G・BやR・G・B・W）と対応付けられた前記所定カラー数のサブピクセル（例えば、サブピクセルＲ１，Ｇ１，Ｂ１やサブピクセルＲ１，Ｇ１，Ｂ１，Ｗ１）が一つのピクセル（ピクセル１０）として構成され、複数の前記ピクセルから構成される情報ディスプレイ（情報ディスプレイ２００）に前記カラー画像を表示させる表示制御装置（表示制御装置１００）であって、前記カラー画像の画像データ（PicturePix(X, Y)に基づいて、前記ピクセルのそれぞれのカラーデータ（Red(C)，Green(C)，Blue(C)）を取得するカラーデータ取得部（カラーデータ取得部１２１）と、前記カラーデータ取得部によって取得された前記カラーデータに基づいて、前記所定カラー毎の明度を取得する明度取得部（明度取得部１２３）と、前記明度取得部によって取得された前記明度に基づいて、前記所定カラーに対応する前記サブピクセルを駆動する制御情報を前記情報ディスプレイに出力する表示制御部（表示制御部１２５）とを備えることを要旨とする。
【００１１】
本発明の第２の特徴は、本発明の第１の特徴に係り、前記ピクセルは、前記情報ディスプレイの情報表示面の縦方向及び横方向に複数並んで設けられ、前記縦方向または前記横方向に平行な直線（直線Ｌ１，Ｌ２）上に位置する前記サブピクセルは、隣接するサブピクセルとは異なるカラーと対応付けられていることを要旨とする。
【００１２】
本発明の第３の特徴は、本発明の第１の特徴に係り、前記サブピクセルは、正方形であることを要旨とする。
【００１３】
本発明の第４の特徴は、本発明の第３の特徴に係り、前記ピクセルは、Ｎｃを所定カラー数とした場合、前記情報ディスプレイの情報表示面の縦方向においてＮｃ個の前記サブピクセルと、前記情報表示面の横方向においてＮｃ個の前記サブピクセルとによって構成されることを要旨とする。
【００１４】
本発明の第５の特徴は、本発明の第１乃至第４の特徴に係り、前記所定カラーは、光の三原色を構成する赤、緑及び青であることを要旨とする。
【００１５】
本発明の第６の特徴は、本発明の第１乃至第４の特徴に係り、前記所定カラーは、光の四原色を構成する赤、緑、青及び黄であることを要旨とする。
【００１６】
本発明の第７の特徴は、本発明の第１乃至第５の特徴に係り、前記情報ディスプレイは、前記所定カラーに対応するカラーフィルタ（青フィルタ１８Ｂ，緑フィルタ１８Ｇ，赤フィルタ１８Ｒ）と、少なくとも情報表示面側に配置される電極が透明な一対の電極（透明電極１７F，透明電極１７R）と、前記一対の電極間に封入され、電界が与えられることによって何れかの電極側に移動する表示媒体（白色表示媒体１５Ｗ，黒色表示媒体１５ＢＫ）とを含むことを要旨とする。
【００１７】
本発明の第８の特徴は、本発明の第１乃至第５の特徴に係り、前記情報ディスプレイは、少なくとも情報表示面側に配置される電極が透明な一対の電極（透明電極１７F，透明電極１７R）と、前記一対の電極間に封入され、電界が与えられることによって何れかの電極側に移動する表示媒体（赤色表示媒体１５Ｒ、緑色表示媒体１５Ｇ、青色表示媒体１５Ｂ及び黒色表示媒体１５ＢＫまたは白色表示媒体１５Ｗの４種類の表示媒体）とを含み、前記表示媒体は、前記所定カラーの何れかに対応し、電気的に駆動可能な粒子によって構成されることを要旨とする。
【００１８】
本発明の第９の特徴は、カラー画像の表示に必要な所定カラーと対応付けられた前記所定カラー数のサブピクセルが一つのピクセルとして構成され、複数の前記ピクセルから構成される情報ディスプレイに前記カラー画像を表示させる情報ディスプレイシステム（情報ディスプレイシステム５０）であって、前記カラー画像の画像データに基づいて、前記ピクセルのそれぞれのカラーデータを取得するカラーデータ取得部と、前記カラーデータ取得部によって取得された前記カラーデータに基づいて、前記所定カラー毎の明度を取得する明度取得部と、前記明度取得部によって取得された前記明度に基づいて、前記所定カラーに対応する前記サブピクセルを駆動する制御情報を前記情報ディスプレイに出力する表示制御部とを備えることを要旨とする。
【００１９】
本発明の第１０の特徴は、カラー画像の表示に必要な所定カラーと対応付けられた前記所定カラー数のサブピクセルが一つのピクセルとして構成され、複数の前記ピクセルから構成される情報ディスプレイに前記カラー画像を表示させる表示制御方法であって、前記カラー画像の画像データに基づいて、前記ピクセルのそれぞれのカラーデータを取得するステップと、取得された前記カラーデータに基づいて、前記所定カラー毎の明度を取得するステップと、取得された前記明度に基づいて、前記所定カラーに対応する前記サブピクセルを駆動するステップとを備えることを要旨とする。
【００２０】
本発明の特徴によれば、表示媒体移動型の情報ディスプレイなど、所定カラーと対応付けられた複数のサブピクセルが一つのピクセルとして構成される場合において、カラー画像を表示させた際に文字などの表示情報の輪郭が不鮮明となることを軽減した表示制御装置、情報ディスプレイシステム及び表示制御方法を提供することができる。
【図面の簡単な説明】
【００２１】
【図１】本発明の実施形態に係る情報ディスプレイ２００の概略正面図である。
【図２】本発明の実施形態に係るピクセルの構成を示す図である。
【図３】本発明の実施形態に係る情報ディスプレイ２００の内部構成を示す図である。
【図４】本発明の実施形態に係る白色表示媒体１５Ｗ及び黒色表示媒体１５ＢＫの動作例を示す図である。
【図５】本発明の実施形態に係る情報ディスプレイシステム５０の全体機能ブロック構成図である。
【図６】本発明の実施形態に係るコントローラ１２０の機能ブロック構成図である。
【図７】本発明の実施形態に係る表示制御装置１００による情報ディスプレイ２００の表示制御フローを示す図である。
【図８】本発明の実施形態に係る特定ピクセルのカラーデータ及び明度の取得フローを示す図である。
【図９】本発明の実施形態に係る表示制御装置１００によるサブピクセルの駆動方法の説明図である。
【図１０】本発明の実施形態に係る表示制御装置１００による情報ディスプレイ２００への画像表示例を示す図である。
【図１１】図１０（ａ）の円内ＣＲ１及び図１０（ｂ）の円内ＣＲ２の拡大図である。
【図１２】本発明の変更例に係るピクセル構成を示す図である。
【図１３】本発明の他の変更例に係るピクセル構成を示す図である。
【図１４】本発明の変更例に係る情報ディスプレイの内部構成を示す図である。
【発明を実施するための形態】
【００２２】
次に、本発明に係る情報ディスプレイシステムの実施形態について、図面を参照しながら説明する。具体的には、（１）情報ディスプレイの構成、（２）情報ディスプレイシステムの機能ブロック構成、（３）表示制御装置の動作、（４）作用・効果、及び（５）その他の実施形態について説明する。
【００２３】
なお、以下の図面の記載において、同一または類似の部分には、同一または類似の符号を付している。ただし、図面は模式的なものであり、各寸法の比率などは現実のものとは異なることに留意すべきである。
【００２４】
したがって、具体的な寸法などは以下の説明を参酌して判断すべきものである。また、図面相互間においても互いの寸法の関係や比率が異なる部分が含まれていることは勿論である。
【００２５】
（１）情報ディスプレイの構成
まず、本実施形態に情報ディスプレイシステムにおいて用いられる情報ディスプレイ２００の概略構成について説明する。具体的には、（１．１）ピクセルとサブピクセルの関係、及び（１．２）情報ディスプレイの内部構成について説明する。
【００２６】
（１．１）ピクセルとサブピクセルの関係
図１は、情報ディスプレイ２００の概略正面図である。情報ディスプレイ２００は、電子粉流体（登録商標、登録第４６３６９３１号）など、電気的に駆動可能な粒子を表示媒体として用いた表示媒体移動型の情報ディスプレイ、具体的には、Quick Response-Liquid Powder Display（QR-LPD、登録商標、登録第４６４１９１７号）である。図１に示すように、情報ディスプレイ２００は、複数のピクセル１０（例えば、縦１，６００×横１，２００ドット）によって構成される。ピクセル１０は、情報ディスプレイ２００の情報表示面の縦方向及び横方向に複数並んで設けられる。
【００２７】
本実施形態では、情報ディスプレイ２００は、光の三原色を構成する赤、緑及び青（R・G・B）、或いは光の三原色と無色透明（R・G・B・W）、または光の四原色を構成する赤、緑、青及び黄（R・G・B・Y）によってカラー画像（例えば、４，０９６色）を表示する実施形態とすることもできる。
【００２８】
図２（ａ）及び（ｂ）は、本実施形態において利用可能なピクセルの構成を示す。図２（ａ）は、R・G・Bに対応するピクセル１０の構成を示す。図２（ａ）に示すように、ピクセル１０は、サブピクセルＲ１、サブピクセルＧ１及びサブピクセルＢ１によって構成される。
【００２９】
すなわち、情報ディスプレイ２００では、カラー画像の表示に必要な所定カラー（R・G・B）と対応付けられた当該所定カラー数のサブピクセルが一つのピクセル１０として構成される。
【００３０】
サブピクセルＲ１は、赤色（Ｒ）のサブピクセルである。同様に、サブピクセルＧ１は緑色（Ｇ）、サブピクセルＢ１は青色（Ｂ）のサブピクセルである。ピクセル１０において、サブピクセルＲ１は左側、サブピクセルＧ１は中央、サブピクセルＢ１は右側に配置される。
【００３１】
各ピクセル１０は、後述する表示制御装置によって制御された明るさで駆動されることによって、所望のカラーを表示する。例えば、（R, G, B）=（255, 0, 0）ならば赤、（R, G, B）=（0, 255, 255）ならばシアン、（R, G, B）=（255, 255, 255）ならば白、（R, G, B）=（0, 0, 0）ならば黒となる。ここで、括弧内の数値は、それぞれの色の明るさを示し、255が最も明るく（白）、0が最も暗い（黒）ことを示している。数字の範囲は、0〜255（8bits）に限定されるものではなく、明るさの分解能（階調数）によって0〜1（1bit）や、0〜15（4bits）でも構わない。
【００３２】
図２（ｂ）は、R・G・B・Wに対応するピクセル１０Ａの構成を示す。図２（ｂ）に示すように、ピクセル１０Ａは、サブピクセルＲ２、サブピクセルＧ２、サブピクセルＢ２及びサブピクセルＷ２によって構成される。ピクセル１０Ａにおいて、サブピクセルＲ２、サブピクセルＧ２及びサブピクセルＢ２は、上述したピクセル１０と同様である。サブピクセルＷ２は、白色（W）のサブピクセルである。ピクセル１０Ａは、ピクセル１０と比較すると、サブピクセルＷ２が追加されているため、ピクセル１０Ａをより明るくすることが容易となる。
【００３３】
（１．２）情報ディスプレイの内部構成
図３は、情報ディスプレイ２００の内部構成を示す。具体的には、図３は、ピクセル１０の内部構成を示す。上述したように、ピクセル１０は、サブピクセルＲ１、サブピクセルＧ１及びサブピクセルＢ１によって構成される。
【００３４】
ピクセル１０は、R・G・B（所定カラー）に対応するカラーフィルタを備える。具体的には、サブピクセルＲ１には、赤色に着色され、一定の透明性を有する赤フィルタ１８Ｒが設けられる。同様に、サブピクセルＧ１には、緑色に着色され、一定の透明性を有する緑フィルタ１８Ｇが設けられ、サブピクセルＢ１には、青色に着色され、一定の透明性を有する青フィルタ１８Ｂが設けられる。赤フィルタ１８Ｒ、緑フィルタ１８Ｇ及び青フィルタ１８Ｂは、情報ディスプレイ２００の情報表示面側に配置される。
【００３５】
また、赤フィルタ１８Ｒ、緑フィルタ１８Ｇ及び青フィルタ１８Ｂの内側には、白色表示媒体１５Ｗ、黒色表示媒体１５ＢＫ、壁部１６、透明電極１７F及び透明電極１７Rが設けられる。
【００３６】
白色表示媒体１５Ｗは、白色の電子粉流体であり、本実施形態では、マイナス電荷を有する。黒色表示媒体１５ＢＫは、黒色の電子粉流体であり、本実施形態では、プラス電荷を有する。白色表示媒体１５Ｗ及び黒色表示媒体１５ＢＫは、透明電極１７Fと透明電極１７Rとの間に封入される。白色表示媒体１５Ｗ及び黒色表示媒体１５ＢＫは、透明電極１７Fと透明電極１７Rとによって一対の電極間に電界が与えられると、互いに対向する電極側に移動する。
【００３７】
壁部１６は、白色表示媒体１５Ｗ及び黒色表示媒体１５ＢＫが充填された一対の電極間の空間を、一つのサブピクセル毎または複数のサブピクセル毎に区画する。
【００３８】
一対の電極（透明電極１７F，透明電極１７R）は、一定の透明性を有する電極であり、電源（図３において不図示、図４参照）と接続される。透明電極１７Fは、情報ディスプレイ２００の情報表示面側、つまり、赤フィルタ１８Ｒ、緑フィルタ１８Ｇ及び青フィルタ１８Ｂ側に配設される。透明電極１７Rは、情報ディスプレイ２００の背面側に配設される。なお、透明電極１７F及び透明電極１７Rのうち、少なくとも情報表示面側に配置される透明電極１７Fが透明であればよい。
【００３９】
図４（ａ）及び（ｂ）は、白色表示媒体１５Ｗ及び黒色表示媒体１５ＢＫの動作例を示す。図４（ａ）及び（ｂ）に示すように、電源２０から透明電極１７F及び透明電極１７Rに印加される電圧の極性を切り替えられることによって、赤フィルタ１８Ｒが設けられた情報表示面側の透明電極１７Fに付着する電子粉流体を白色または黒色に切り替えることができる。このような制御によって、各サブピクセルを明るくしたり、暗くしたりすることができ、サブピクセルの明るさを調整できる。
【００４０】
また、透明電極１７Fと透明電極１７Rとの間に形成された空間Ｓには、透明な絶縁性液体などは充填されておらず、白色表示媒体１５Ｗ，黒色表示媒体１５ＢＫと気体（例えば、空気）によって満たされる。なお、空間Ｓは、真空にしてもよい。
【００４１】
（２）情報ディスプレイシステムの機能ブロック構成
次に、情報ディスプレイシステム５０の機能ブロック構成について説明する。具体的には、（２．１）全体機能ブロック構成及び（２．２）コントローラ１２０の機能ブロック構成について説明する。
【００４２】
（２．１）全体機能ブロック構成
図５は、情報ディスプレイシステム５０の全体機能ブロック構成図である。図５に示すように、情報ディスプレイシステム５０は、表示制御装置１００と情報ディスプレイ２００とによって構成される。
【００４３】
表示制御装置１００は、情報ディスプレイ２００を制御し、情報ディスプレイ２００にカラー画像を表示させる。表示制御装置１００は、画像データ入力部１１０、コントローラ１２０及びドライバ１３０を備える。
【００４４】
画像データ入力部１１０には、情報ディスプレイ２００によるカラー画像の表示に必要な画像データが入力される。
【００４５】
コントローラ１２０は、画像データ入力部１１０に入力された画像データに基づいて、情報ディスプレイ２００のピクセル及びサブピクセルを制御する制御情報を生成する。なお、コントローラ１２０の詳細については、後述する。
【００４６】
ドライバ１３０は、コントローラ１２０から出力された制御情報を情報ディスプレイ２００に出力し、該当するサブピクセルを駆動する。
【００４７】
（２．２）コントローラ１２０の機能ブロック構成
図６は、コントローラ１２０の機能ブロック構成図である。図６に示すように、コントローラ１２０は、カラーデータ取得部１２１、明度取得部１２３及び表示制御部１２５を備える。
【００４８】
カラーデータ取得部１２１は、画像データ入力部１１０に入力されたカラー画像の画像データ（例えば、縦１，６００×横１，２００ドット）に基づいて、ピクセルのそれぞれのカラーデータ（例えば、R・G・B）を取得する。具体的には、カラーデータ取得部１２１は、入力された画像データの各ドットの位置（Ｘ，Ｙ）における赤、緑及び青の各色のカラーデータを取得する。カラーデータ取得部１２１は、取得した各ドット位置における各色のカラーデータを明度取得部１２３に出力する。
【００４９】
明度取得部１２３は、カラーデータ取得部１２１によって取得された各ドット位置における各色のカラーデータに基づいて、各色（赤、緑及び青）の明度を取得する。明度の最も高いものは白色となり、最も低いものは黒色となる。なお、カラーデータ取得部１２１によるカラーデータの取得方法及び明度取得部１２３による明度の取得方法の詳細については、後述する。
【００５０】
表示制御部１２５は、明度取得部１２３によって取得された各色の明度に基づいて、当該色に対応するサブピクセル（サブピクセルＲ１、サブピクセルＧ１及びサブピクセルＢ１）を駆動する制御情報を情報ディスプレイ２００に出力する。なお、表示制御部１２５によるサブピクセルの具体的な駆動方法については、後述する。
【００５１】
（３）表示制御装置の動作
次に、表示制御装置１００の動作について説明する。具体的には、（３．１）表示制御フロー、（３．２）サブピクセルの駆動方法及び（３．３）画像表示例について説明する。
【００５２】
（３．１）表示制御フロー
表示制御装置１００は、カラー画像を情報ディスプレイ２００に表示させる際、複数（例えば、R・G・Bの三つ）のサブピクセルを一つのピクセル（画像表示単位）として扱うのではなく、各サブピクセルを一つの画像表示単位として扱う。これにより、表示制御装置１００は、カラー画像を擬似的に高精細にして情報ディスプレイ２００に表示させる。以下、このような擬似的に高精細なカラー画像を情報ディスプレイ２００に表示させる表示制御フロー（高精細処理）について説明する。
【００５３】
図７は、表示制御装置１００による情報ディスプレイ２００の表示制御フローを示す。図７に示すように、ステップＳ１０において、表示制御装置１００は、入力された画像データに基づいて、情報ディスプレイ２００の横解像度SW（ドット数）及び縦解像度SH（ドット数）を取得する。なお、使用する画像サイズは、QR-LPDの制御線数と等しくする必要がある。例えば、R・G・B・Wによる縦８００×横６００ドットのカラー画像の場合、縦１，６００×横１，２００ドットの画像データが必要となる。
【００５４】
また、表示制御装置１００は、カラー画像の横方向におけるデータ取得位置(Y)をY=0に設定する。さらに、表示制御装置１００は、赤、緑、青及び白の基準値（赤(MR)＝１５０、緑(MG)＝３５０、青(MB)＝１００、白＝MR+MG+MB）を決定する。なお、ここでは、R・G・B・Wの例について説明するが、R・G・Bの場合は、白色に関する処理が不要となる。
【００５５】
ステップＳ２０において、表示制御装置１００は、カラー画像の縦方向におけるデータ取得位置（X）をX=0に設定する。なお、R・G・B・Wによる縦１，６００×横１，２００ドットのカラー画像の場合、Xの取り得る値は、0〜1,199までとなり、Yの取り得る値は、0〜1,599までとなる。
【００５６】
ステップＳ３０において、表示制御装置１００は、カラー画像の特定ピクセル位置(X, Y)における画像データ（PicturePix(X, Y)に基づいて、当該ドット位置、つまり特定ピクセルのそれぞれのカラーデータ（Red(C)，Green(C)，Blue(C))及びその明度を取得する（Level=GetPix(X, Y)）。
【００５７】
図８は、特定ピクセルのカラーデータ及び明度の取得フローを示す。図８に示すように、ステップＳ１１０において、表示制御装置１００は、特定ピクセルの画像データPicturePix(X, Y)に基づいて、赤のカラーデータRed(C)、緑のカラーデータGreen(C)、及び青のカラーデータBlue(C)を取得する。さらに、表示制御装置１００は、取得したカラーデータと（式１）とを用いて、各カラー（R・G・B）の明度（LV）を演算する。なお、「*」は、乗算を示す演算記号である。
【００５８】
W = (R*MR + G*MG + B*MB)/MW
R = R*2 − W
G = G*2 − W
B = B*2 − W      …（式１）
また、表示制御装置１００は、（式２）によってNの値を演算する。
【００５９】
N = (Y and 1) + (X and 1)*2      …（式２）
Nの値は、特定ピクセルそれぞれのカラーデータ及びその明度を取得するための条件分岐に用いられる。なお、この例は、図２（ｂ）に示したピクセル構成の場合を示しており、（式２）は、図２（ｂ）のピクセル構成の場合に用いられる。他のピクセル構成の場合、その構成に従った式が用いられる。
【００６０】
ステップＳ１２０において、表示制御装置１００は、演算したNの値が0か否かを判定する。N=0の場合（ステップＳ１２０のＹＥＳ）、ステップＳ１３０において、表示制御装置１００は、取得した白色の明度（LV）を出力する。
【００６１】
以下、ステップＳ１４０〜ステップＳ１８０において、表示制御装置１００は、取得した他の色の明度（LV）を出力する。
【００６２】
この結果、図７のステップＳ３０に示すように、表示制御装置１００は、特定ピクセル位置(X, Y)における各色の明度（LV）を取得し、取得した色の明度（LV）に基づいて、情報ディスプレイ２００上の対応するピクセル(X, Y)に含まれる対応色のサブピクセルを駆動する（Screen(X, Y)=Level）。
【００６３】
次いで、ステップＳ４０において、表示制御装置１００は、画像データの横方向の取得位置をシフトするため、X=X+1によりXの値を変更する。
【００６４】
ステップＳ５０において、表示制御装置１００は、Xの値が横解像度SWの値を超えたか否かを判定する。
【００６５】
Xの値が横解像度SWの値を超えた場合（ステップＳ５０のＹＥＳ）、ステップＳ６０において、表示制御装置１００は、画像データの縦方向の取得位置をシフトするため、Y=Y+1によりYの値を変更する。一方、Xの値が横解像度SWの値以下の場合（ステップＳ５０のＮＯ）、表示制御装置１００は、ステップＳ３０以降の処理を繰り返す。
【００６６】
ステップＳ７０において、表示制御装置１００は、Yの値が縦解像度SHの値を超えたか否かを判定する。
【００６７】
Yの値が縦解像度SHの値を超えた場合（ステップＳ７０のＹＥＳ）、表示制御装置１００は、処理を終了する。一方、Yの値が縦解像度SHの値以下の場合（ステップＳ７０のＮＯ）、表示制御装置１００は、ステップＳ２０以降の処理を繰り返す。
【００６８】
（３．２）サブピクセルの駆動方法
図９（ａ）及び（ｂ）は、表示制御装置１００によるサブピクセルの駆動方法の説明図である。図９（ａ）は、複数のサブピクセルによって構成されたピクセルを画像表示単位としてカラー画像を表示する従来のサブピクセルの駆動方法を示す。一方、図９（ｂ）は、サブピクセルを画像表示単位としてカラー画像を表示するサブピクセルの駆動方法を示す。図９（ａ）及び（ｂ）は、説明を容易にするため、R・G・B・Wではなく、R・G・Bを用いた場合を例としている。
【００６９】
図９（ａ）に示す従来の駆動方法では、複数のサブピクセルが一つのピクセル（図中の太枠部分）として扱われる。つまり、同一ピクセル内のサブピクセルは、同一のカラーデータ（例えば、R11, G11, B11）に基づいて駆動される。ここで、例えば（R11, G11, B11）=（0, 255, 255）といったカラーデータに基づいて、同一ピクセル内の各サブピクセルが駆動される。
【００７０】
一方、図９（ｂ）に示す本実施形態に係る駆動方法では、各サブピクセルは、上述した処理によって取得した各サブピクセルの明度（LV）に基づいて駆動される。つまり、明度（LV）が低ければ、当該サブピクセルは黒色で表示され、明度（LV）が高ければ、当該サブピクセルは白色で表示される。
【００７１】
例えば、R11のサブピクセル（赤）では、R11, G11, B11のカラーデータに基づいて演算された明度（LV）に基づいて、透明電極１７Fに付着する白色表示媒体１５Ｗまたは黒色表示媒体１５ＢＫの割合が制御される。すなわち、R11のサブピクセルに対応する部分の透明電極１７Fに白色表示媒体１５Ｗのみが付着した場合、当該サブピクセルは、赤色で表示される。また、R11のサブピクセルに対応する部分の透明電極１７F側に黒色表示媒体１５ＢＫのみが移動して配置された場合、当該サブピクセルは、黒色で表示される。さらに、R11のサブピクセルに対応する部分の透明電極１７F側に白色表示媒体１５Ｗと黒色表示媒体１５ＢＫとが移動して混ざった状態で配置された場合、当該サブピクセルは、黒色と赤色の中間の色で表示される。
【００７２】
（３．３）画像表示例
図１０（ａ）及び（ｂ）は、表示制御装置１００による情報ディスプレイ２００への画像表示例を示す。図１０（ａ）は、従来の画像表示例を示し、図１０（ｂ）は、本実施形態に係る画像表示例を示す。
【００７３】
図１０（ａ）に示すカラー画像Ｐ１と、図１０（ｂ）に示すカラー画像Ｐ２とを比較すると、カラー画像Ｐ２では、文字（Ｑ）の輪郭がより鮮明である。図１１（ａ）及び図１１（ｂ）は、図１０（ａ）の円内ＣＲ１、及び図１０（ｂ）の円内ＣＲ２の拡大図をそれぞれ示す。なお、図１０及び図１１は、従来例との差異が明確となるように、R・G・B・Wに対応したピクセル、つまり、図２（ｂ）に示したピクセル１０Ａを用いた表示例を示している。
【００７４】
図１１（ａ）及び（ｂ）に示すように、本実施形態に係る画像表示例では、演算されたサブピクセル（図１１（ｂ）の太線枠部分）毎の明度（LV）に基づいて、当該サブピクセルが駆動されるため、ピクセル（図１１（ａ）の太線枠部分）を画像表示単位として扱う場合と比較して、文字の輪郭などの細かい部分においてギザギザした感じが減少する。
【００７５】
（４）作用・効果
表示制御装置１００によれば、明度取得部１２３によって取得されたサブピクセル毎の明度（LV）に基づいて、R・G・Bなどの各カラーに対応するサブピクセルを駆動する制御情報が情報ディスプレイ２００に出力される。つまり、サブピクセルを一つのピクセル（画像表示単位）として扱うのではなく、各サブピクセルが一つの画像表示単位として扱われる。
【００７６】
このため、情報ディスプレイ２００など、所定カラーと対応付けられた複数のサブピクセルが一つのピクセルとして構成される場合において、カラー画像を表示させた際に文字などの表示情報の輪郭が不鮮明となることを軽減できる。
【００７７】
具体的には、情報ディスプレイ２００を構成する各ドット（サブピクセル）は、互いに重複することがない座標(x, y)上に位置するため、着色されているか否かを無視すれば、情報ディスプレイ２００には、カラー画像の解像度（例えば、縦８００×横６００ドット）よりも高い解像度（例えば、縦１，６００×横１，２００ドット）で画像を表示可能な数のドットが設けられていると言える。上述した画像の「擬似的」な高精細化は、この点に着目して実現される。
【００７８】
つまり、表示すべきカラー画像を白黒画像として捉えた場合、その濃度は、各ドットに対応させることが可能であり、表示すべきカラー画像の解像度は、情報ディスプレイ２００本来の解像度（縦１，６００×横１，２００ドット）まで高められる。色の再現は、複数のサブピクセルから構成されるピクセルに依存せざるを得ないため、ドット毎に対応させることはできないが、例えば、R・G・B・Wをすべて点灯（白色表示媒体１５Ｗを全面に配置）すると白として視認されるという人間の目の特徴を利用し、表示情報（文字など）の輪郭（境界）を黒くするまたは白くすることによって、輪郭を鮮明にできる。ただし、カラー画像を表示する際の解像度は変わらない（縦８００×横６００ドット）ため、情報ディスプレイ２００に白黒画像を表示する場合の解像度と同等にはならない。また、単色の原色（R・G・B）だけが使用されたカラー画像には効果がない。
【００７９】
このような特徴を利用する表示制御装置１００は、文字情報を表示する頻度が高い電子ペーパーなどに適用すると効果的である。また、表示制御装置１００は、カラーフィルタと電子粉流体とを用いた表示媒体移動型の情報ディスプレイに適用すると、ＬＣＤなどと比較して、表示情報の輪郭をより鮮明にし得るので好ましい。
【００８０】
（５）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【００８１】
例えば、本発明の実施形態は、次のように変更することができる。図１２は、本発明の変更例に係るピクセル構成を示す。図１２に示すように、ピクセル１０Ｂ内におけるR・G・Bの各サブピクセルの位置は、上述したピクセル１０（図２（ａ）参照）と同様である。一方、ピクセル１０Ｃ及びピクセル１０Ｄでは、ピクセル１０Ｂと、R・G・Bの各サブピクセルの位置が異なっている。
【００８２】
具体的には、情報ディスプレイ２００Ａの縦方向に平行な直線Ｌ１上に位置するサブピクセルは、縦方向において隣接するサブピクセルとは異なるカラーと対応付けられている。例えば、ピクセル１０Ｃの青（Ｂ）サブピクセルは、ピクセル１０Ｂの赤（Ｒ）サブピクセルと上側で隣接するとともに、ピクセル１０Ｄの緑（Ｇ）サブピクセルと下側で隣接する。同様に、情報ディスプレイ２００Ａの横方向に平行な直線Ｌ２上に位置するサブピクセルは、横方向において隣接するサブピクセルとは異なるカラーと対応付けられている。
【００８３】
このようなピクセル構成によれば、上述のようにサブピクセルを一つの画像表示単位として扱い、当該直線に沿ったようなラインを表示する場合でも、当該ラインが実際とは異なった色（例えば、赤）のみで表示されることを防ぐことができ、画像の擬似的な高精細化によって生じる欠点を露呈し難くできる。
【００８４】
図１３（ａ）〜（ｃ）は、本発明の他の変更例に係るピクセル構成を示す。図１３（ａ）〜（ｃ）に示すように、サブピクセルは、R・G・Bの場合でも長方形ではなく正方形とし、Ｎｃ×Ｎｃのサブピクセルによってピクセルを構成してもよい。Ｎは、所定カラー数と一致しているとよい。つまり、ピクセルは、Ｎｃを所定カラー数とした場合、情報ディスプレイの情報表示面の縦方向においてＮｃ個のサブピクセルと、情報表示面の横方向においてＮｃ個のサブピクセルとによって構成される。同一色のサブピクセルの配置方向は、縦方向（図１３（ａ））、横方向（図１３（ｂ））または斜め方向（図１３（ｃ））とすることができる。
【００８５】
ここで、情報ディスプレイに表示される画像の種類によって、図１３（ａ）〜（ｃ）の中から適切なピクセル構成を選択すれば、上述した画像の擬似的な高精細化によって生じる欠点を露呈し難くできる。例えば、横方向の成分が多い画像を表示する場合には、図１３（ａ）のピクセル構成を選択すればよい。
【００８６】
図１４は、本発明の変更例に係る情報ディスプレイの内部構造を示す。具体的には、図１４は、本発明の変更例に係るピクセル１０Ｖの内部構成を示す。図１４に示すように、本変更例に係るピクセル１０Ｖは、ピクセル１０と同様に、サブピクセルＲ１、サブピクセルＧ１及びサブピクセルＢ１によって構成される。また、ピクセル１０Ｖは、ピクセル１０と同様に、透明電極１７F，透明電極１７Rを備える。
【００８７】
ピクセル１０Ｖでは、透明電極１７F，透明電極１７R間に、所定カラーの何れかに対応した表示媒体が封入される。具体的には、サブピクセルＲ１の領域には、赤色表示媒体１５Ｒと黒色表示媒体１５ＢＫとが封入される。同様に、サブピクセルＧ１の領域には、緑色表示媒体１５Ｇと黒色表示媒体１５ＢＫとが封入され、サブピクセルＢ１の領域には、青色表示媒体１５Ｂと黒色表示媒体１５ＢＫとが封入される。赤色表示媒体１５Ｒ、緑色表示媒体１５Ｇ及び青色表示媒体１５Ｂは、黒色表示媒体１５ＢＫと同様に、透明電極１７F，透明電極１７R間に電界が与えられると、互いに対向する電極側に移動する。各表示媒体は、電気的に駆動可能な粒子によって構成される。なお、安定した中間調の表示状態を得るためには、一般的に、上述したカラーフィルタを備えた情報ディスプレイ２００を用いることが好ましい。
【００８８】
また、透明電極１７F，透明電極１７R間に形成された空間Ｓ（図４（ａ），（ｂ）参照）には、帯電性粒子を含んで構成した粒子群である表示媒体を、気体（真空を含む）とともに封入してもよいし、透明な絶縁性液体とともに封入してもよい。さらに、帯電性粒子を含んで構成した粒子群である表示媒体と、透明な絶縁性液体とをカプセルに封入し、当該カプセルを空間Ｓに配置してもよい。さらに、例えば白色の帯電性粒子をR・G・B各カラーの絶縁性液体とともに空間Ｓに配置してもよい。この場合には、粒子と各カラー絶縁性液体とが表示媒体となる。
【００８９】
上述した実施形態では、R・G・BまたはR・G・B・Wを例として説明したが、本発明は、R・G・B・Y（YはYellow）などにも勿論適用することができる。また、情報ディスプレイの種類は、表示媒体移動型に限られず、ドットマトリックス方式であれば、異なる種類の情報ディスプレイにも本発明を適用できる。
【００９０】
また、情報ディスプレイの駆動方式としては、スイッチング素子を用いない単純マトリックス駆動方式やスタティック駆動方式、或いは薄膜トランジスタ（ＴＦＴ）をスイッチング素子として用いるアクティブ駆動方式など、種々のタイプを適用し得る。
【００９１】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【００９２】
なお、日本国特許出願第２００９−２９５１９３号（２００９年１２月２５日出願）の全内容が、参照により、本願明細書に組み込まれている。
【産業上の利用可能性】
【００９３】
本発明の係る情報ディスプレイシステムは、（１）ノートパソコン、電子手帳、ＰＤＡ（Personal Digital Assistant）、携帯電話端末、ハンディターミナルなどの携帯型情報機器の表示部、（２）電子書籍、電子新聞、電子マニュアルなどの電子ペーパー、（３）看板、ポスター、黒板及び白板など掲示板、（４）卓上計算機、家電製品、自動車用品などの表示部、（５）ポイントカード及びＩＣカードなどの表示部、（６）電子広告、情報ボード、電子ＰＯＰ（Point Of Presence, Point Of Purchase advertising）、電子値札、電子棚札、電子楽譜、ＲＦ−ＩＤ機器の表示部、（７）ＰＯＳ端末、カーナビゲーション装置、時計などの様々な電子機器の表示部に好適に用いることができる。また、外部書き換え装置に接続して表示内容を書き換えるリライタブルペーパーとしても好適に用いることができる。
【図１】
2011078088.tif 000003
【図２】
2011078088.tif 000004
【図３】
2011078088.tif 000005
【図４】
2011078088.tif 000006
【図５】
2011078088.tif 000007
【図６】
2011078088.tif 000008
【図７】
2011078088.tif 000009
【図８】
2011078088.tif 000010
【図９】
2011078088.tif 000011
【図１０】
2011078088.tif 000012
【図１１】
2011078088.tif 000013
【図１２】
2011078088.tif 000014
【図１３】
2011078088.tif 000015
【図１４】
2011078088.tif 000016
【国際調査報告】
2011078088.tif 000017
2011078088.tif 000018